(57)【要約】【課題】ユーザの言葉を確実に音声認識することができる車載表示装置を提供する。【解決手段】マイク１９に設けられたＰＴＴ（ Press to Talk ）スイッチ１９ａを押下すると、目的地ボタンと経由地ボタンとが表示モニタ１６に表示される。目的ボタンを押圧すると、音声認識部１１０で音声認識するときに使用する辞書の範囲が、目的地を設定するときや変更するときに発せられる言葉など、目的地に関する言葉の範囲に限定される。そして、押圧を止めると限定が解除される。経由地ボタンを押圧すると、音声認識部１１０で音声認識するときに使用する辞書の範囲が、経由地を設定するときや削除するときに発せられる言葉など、経由地に関する言葉の範囲に限定される。そして、押圧を止めると限定が解除される。【選択図】図１
2008037121.tif 000002
【特許請求の範囲】
【請求項１】
ユーザの発する音声を入力する音声入力手段と、
前記音声入力手段によって入力された音声を辞書と照合して音声認識する音声認識手段と、
アイコンやボタンを表示モニタに表示する表示制御手段と、
前記表示制御手段によって表示されたアイコンまたはボタンが指定されると、指定されたボタンまたはアイコンに基づいて、音声を照合する前記辞書の範囲を限定する辞書範囲制御手段とを備えることを特徴とする車載表示装置。
【請求項２】
請求項１に記載の車載表示装置において、
前記音声入力手段は、発話スイッチが押圧されると音声を入力し、
前記表示制御手段は、前記発話スイッチが押圧されると前記アイコンやボタンを前記表示モニタに表示することを特徴とする車載表示装置。
【請求項３】
請求項２に記載の車載表示装置において、
前記表示制御手段は、前記発話スイッチが押圧されるごとに、前記表示モニタに表示するアイコンまたはボタンを別のアイコンやボタンに切り替えることを特徴とする車載表示装置。
【請求項４】
請求項１乃至３のいずれか１項に記載の車載表示装置において、
目的地を入力する入力手段と、
前記入力された目的地に対応するマークを表示するマーク表示手段と、
前記表示モニタ上の前記マークを指定して入力された音声をそのマークに対応する目的地に関連付けて記憶する関連音声記憶手段と、
前記関連音声記憶手段によって目的地と関連付けて記憶されている音声が入力されると、その音声に関連する目的地を前記表示モニタに表示する目的地表示手段とを備え、
前記辞書範囲制御手段は、前記マークが指定されると、音声を照合する前記辞書の範囲を目的地に関する言葉に限定することを特徴とする車載表示装置。
【請求項５】
請求項１乃至３のいずれか１項に記載の車載表示装置において、
経由地を入力する入力手段と、
前記入力された経由地に対応するマークを表示するマーク表示手段と、
前記表示モニタ上の前記マークを指定して入力された音声をそのマークに対応する経由地に関連付けて記憶する関連音声記憶手段と、
前記関連音声記憶手段によって経由地と関連付けて記憶されている音声が入力されると、その音声に関連する経由地を前記表示モニタに表示する経由地表示手段とを備え、
前記辞書範囲制御手段は、前記マークが指定されると、音声を照合する前記辞書の範囲を経由地に関する言葉に限定することを特徴とする車載表示装置。
【請求項６】
請求項１に記載の車載表示装置において、
前記表示制御手段は、オーディオに関するアイコンやボタンを表示モニタに表示し、
前記辞書範囲制御手段は、前記オーディオに関するアイコンまたはボタンが指定されると、オーディオに関する言葉に、前記辞書の範囲を限定することを特徴とする車載表示装置。
【請求項７】
請求項１に記載の車載表示装置において、
前記表示制御手段は、空調など車載の各種機器装置に関するアイコンやボタンを表示モニタに表示し、
前記辞書範囲制御手段は、前記空調など車載の各種機器装置に関するアイコンまたはボタンが指定されると、空調など車載の各種機器装置に関する言葉に、前記辞書の範囲を限定することを特徴とする車載表示装置。
【発明の詳細な説明】
【技術分野】
【０００１】
本発明は、音声認識機能を有する車載表示装置に関する。
【背景技術】
【０００２】
車両の状態を検知し、検知された車両の状態に応じて、音声を出力するとともに、音声を認識するための認識語を限定し、入力された音声と限定された認識語とを比較し、両データの一致を見ることによって入力された音声を認識する車両用音声認識装置が知られている（特許文献１）。
【特許文献１】特開平１０−７３４４８号公報
【発明の開示】
【発明が解決しようとする課題】
【０００３】
特許文献１に記載されている車両用音声認識装置では、検知された車両の状態に応じて認識語が限定されるため、検知されている車両の状態に関する操作以外の操作が音声によってできないという問題点がある。
【課題を解決するための手段】
【０００４】
（１）請求項１の発明の車載表示装置は、ユーザの発する音声を入力する音声入力手段と、音声入力手段によって入力された音声を辞書と照合して音声認識する音声認識手段と、アイコンやボタンを表示モニタに表示する表示制御手段と、表示制御手段によって表示されたアイコンまたはボタンが指定されると、指定されたボタンまたはアイコンに基づいて、音声を照合する辞書の範囲を限定する辞書範囲制御手段とを備えることを特徴とする。
（２）請求項２の発明は、請求項１に記載の車載表示装置において、音声入力手段は、発話スイッチが押圧されると音声を入力し、表示制御手段は、発話スイッチが押圧されるとアイコンやボタンを表示モニタに表示することを特徴とする。
（３）請求項３の発明は、請求項２に記載の車載表示装置において、表示制御手段は、発話スイッチが押圧されるごとに、表示モニタに表示するアイコンまたはボタンを別のアイコンやボタンに切り替えることを特徴とする。
（４）請求項４の発明は、請求項１乃至３のいずれか１項に記載の車載表示装置において、目的地を入力する入力手段と、入力された目的地に対応するマークを表示するマーク表示手段と、表示モニタ上のマークを指定して入力された音声をそのマークに対応する目的地に関連付けて記憶する関連音声記憶手段と、関連音声記憶手段によって目的地と関連付けて記憶されている音声が入力されると、その音声に関連する目的地を表示モニタに表示する目的地表示手段とを備え、辞書範囲制御手段は、マークが指定されると、音声を照合する辞書の範囲を目的地に関する言葉に限定することを特徴とする。
（５）請求項５の発明は、請求項１乃至３のいずれか１項に記載の車載表示装置において、経由地を入力する入力手段と、入力された経由地に対応するマークを表示するマーク表示手段と、表示モニタ上のマークを指定して入力された音声をそのマークに対応する経由地に関連付けて記憶する関連音声記憶手段と、関連音声記憶手段によって経由地と関連付けて記憶されている音声が入力されると、その音声に関連する経由地を表示モニタに表示する経由地表示手段とを備え、辞書範囲制御手段は、マークが指定されると、音声を照合する辞書の範囲を経由地に関する言葉に限定することを特徴とする。
（６）請求項６の発明は、請求項１に記載の車載表示装置において、表示制御手段は、オーディオに関するアイコンやボタンを表示モニタに表示し、辞書範囲制御手段は、オーディオに関するアイコンまたはボタンが指定されると、オーディオに関する言葉に、辞書の範囲を限定することを特徴とする。
（７）請求項７の発明は、請求項１に記載の車載表示装置において、表示制御手段は、空調など車載の各種機器装置に関するアイコンやボタンを表示モニタに表示し、辞書範囲制御手段は、空調など車載の各種機器装置に関するアイコンまたはボタンが指定されると、空調など車載の各種機器装置に関する言葉に、辞書の範囲を限定することを特徴とする。
【発明の効果】
【０００５】
本発明によれば、表示モニタに表示されたアイコンやボタンを指定することによって、音声を照合する辞書の範囲を、指定されたアイコンやボタンに定義された範囲に限定することができる。したがって、所望の操作に係るアイコンやボタンを指定することによって、検知されている車両の状態に関係なく、所望の操作を音声によって確実に実行することができる。
【発明を実施するための最良の形態】
【０００６】
本発明の実施形態によるナビゲーション装置の構成を図１に示す。図１のナビゲーション装置１は、ユーザが発する音声をマイク１９で入力し、入力した音声に基づいて諸機能を実行する。ナビゲーション装置１は、制御回路１１、ＲＯＭ１２、ＲＡＭ１３、現在地検出装置１４、画像メモリ１５、表示モニタ１６、スピーカ１７、入力装置１８、マイク１９、音声認識部１１０、タッチパネル１１２およびディスクドライブ１１４を有している。
【０００７】
ナビゲーション装置１にはＣＤプレーヤ２などのオーディオ機器が接続され、入力装置１８、タッチパネル１１２の操作、またはマイク１９に入力する音声によってＣＤプレーヤ２を操作することができる。ＣＤプレーヤ２が再生した音声はスピーカ１７から出力される。
【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１５に記憶された地図データに基づいて所定の経路探索処理を行うと、その処理結果が探索ルートとして表示モニタ１６に表示される。
【０００９】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどから成る。ナビゲーション装置１は、この現在地検出装置１４により検出された車両の現在地に基づいて、地図の表示範囲や経路探索開始点などを決定するとともに、地図上にその現在地を表示する。
【００１０】
画像メモリ１５は、表示モニタ１６に表示するための画像データを格納する。この画像データは地図描画用データや各種の図形データからなり、それらは、ＤＶＤ−ＲＯＭ１１５に記憶された地図データに基づいて適宜生成される。ナビゲーション装置１は、このようにして生成された画像データを用いることによって地図表示などを行うことができる。
【００１１】
表示モニタ１６は、地図データなどの各種情報に基づいて、自車位置付近の地図などの各種情報を画面表示としてユーザに提供する。スピーカ１７は、ユーザの各種入力操作をガイトしたり、ユーザに対し経路誘導するためなどの音声を出力したりする。入力装置１８は、ユーザが各種コマンドを設定するための入力スイッチを有し、リモコンなどによって実現される。ユーザは、表示モニタ１６の表示画面の指示に従って入力装置１８を手動で操作することにより、目的地を選択して目的地を設定する。
【００１２】
目的地がユーザにより設定されると、ナビゲーション装置１はＧＰＳセンサ１４ｃにより検出された現在地を出発地として目的地までの経路演算を所定のアルゴリズムに基づいて行う。以下、この経路演算を経路探索と呼ぶ。このようにして求められたルート（以下、推奨経路という）は、表示形式、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１３】
マイク１９は、ユーザが発する音声を入力する。マイク１９にはＰＴＴ（ Press to Talk ）スイッチ１９ａが設けられており、ＰＴＴスイッチ１９ａが押下された状態で音声を発すると、マイク１９に音声が入力される。音声認識部１１０は、マイク１９で入力された音声の音声パターンを辞書１１１に格納されている音声パターンと照合して入力された音声を認識する。その認識結果は制御回路１１へ出力される。
【００１４】
辞書１１１は、図２に示すように複数の小辞書に分けられている。それぞれの小辞書には所定のカテゴリに含まれる言葉の音声パターンが格納されており、。音声認識に使用する辞書を小辞書単位で限定することができる。たとえば、目的地設定のときに使用する小辞書を点線２１の範囲の小辞書群に限定したり、経由地設定のときに使用する小辞書を一点鎖線２２の範囲の小辞書群に限定したりすることができる。
【００１５】
タッチパネル１１２は表示モニタ１６のモニタ画面上に設けられた透明パネルであり、表示モニタ１６に表示した表示画面はタッチパネル１１２を通して表示される。また、表示モニタ１６の表示画面を押圧するとタッチパネル１１２が押圧される。タッチパネル１１２は入力装置１８と同様に入力機能を有する。表示モニタ１６に表示された地図画面や各種ボタン、表示メニューなどを指で押圧して指定するとタッチパネル１１２が押圧され、タッチパネルコントロール部１１３によって押圧位置が算出される。そして、算出された押圧位置は制御回路１１に入力され、目的地を設定したり、各種ボタンや表示メニューに対応する機能を実行させたりする。
【００１６】
ディスクドライブ１１４には、表示モニタ１６に表示する地図データが記録されたＤＶＤ−ＲＯＭ１１５が装填される。地図データは、地図表示用データ、経路探索用データなどを含み、表示用および経路探索用データには、道路のリンク情報およびノード情報が含まれている。地図表示用データは、広域から詳細まで複数の縮尺の地図データを有し、ユーザの要求にしたがって、表示地図の縮尺を変更することができる。ディスクドライブ１１４は、装填されたＤＶＤ−ＲＯＭ１１５から、表示モニタ１６へ地図を表示するための地図データを読み出す。なお、ＤＶＤ−ＲＯＭ１１５以外の他の記録メディア、たとえばＣＤ−ＲＯＭやハードディスクなどより地図データを読み出してもよい。
【００１７】
図３を参照して、本発明の実施形態における音声認識によるナビゲーション装置１の操作について説明する。ここで、ユーザは所定の目的地まで経路探索を行い、経路誘導を受けていたが、音声によって目的地変更の操作をしようと思い、マイク１９に設けられたＰＴＴスイッチ１９ａを押下したものとする。
【００１８】
図３は、自車位置周辺の地図上に探索された推奨経路を表示した表示モニタ１６の表示画面を示す図である。地図３０上の自車位置には自車位置マーク３１が表示される。表示画面の右上には、目的地ボタン３２と経由地ボタン３３とが表示される。通常、目的地ボタン３２と経由地ボタン３３とは表示モニタ１６には表示されず、ＰＴＴスイッチ１９ａを押下すると表示される。
【００１９】
目的ボタン３２を押圧している間、音声認識部１１０で音声認識するときに照合する辞書の範囲が、目的地を設定するときや変更するときに発せられる言葉など、目的地に関する言葉の音声パターンが格納された辞書の範囲２１（図２参照）に限定される。
【００２０】
一方、経由地ボタン３３を押圧している間、音声認識部１１０で音声認識するときに照合する辞書の範囲が、経由地を設定するときや削除するときに発せられる言葉など、経由地に関する言葉の音声パターンが格納された辞書の範囲２２（図２参照）に限定される。
【００２１】
図３に示すように、ＣＤプレーヤ２により楽曲を再生すると、ＣＤプレーヤの再生に関する情報を表示したオーディオ情報表示画面３４が表示モニタ１６に表示される。オーディオ表示画面３４を押圧している間、音声認識部１１０で音声認識するときに照合する辞書の範囲が、オーディオ操作に関する言葉の音声パターンが格納された辞書の範囲に限定される。
【００２２】
目的地を変更する操作をする場合は、図３に示すように目的地ボタン３３を押圧しながら、マイク１９に対して「目的地変更」と音声を発する。このとき、音声認識するための辞書が目的地に関する言葉の音声パターンが格納された辞書の範囲に限定されるので、誤って他の言葉として認識される可能性が低くなり、入力された音声を確実に識別することができる。そして、目的地名をマイク１９に対して発することによって変更する目的地が入力される。次に「探索」とマイク１９に対して音声を発すると、新しい目的地までの推奨経路が演算され、新しい推奨経路３５が表示される。
【００２３】
次に、本実施形態のナビゲーション装置１の音声認識に使用される辞書の辞書範囲限定処理について、図４のフローチャートを参照して説明する。図４の処理は、地図が表示モニタ１６に表示されるとスタートするプログラムにより、制御回路１１において実行される。
【００２４】
ステップＳ４０１では、マイク１９に設けられているＰＴＴスイッチ１９ａが押下されたかを判定する。押下された場合はステップＳ４０１が肯定判定され、ステップＳ４０２へ進む。押下されていない場合はステップＳ４０１を繰り返す。ステップＳ４０２では、表示モニタ１６の表示画面に複数の辞書範囲限定ボタン（目的地ボタン３２、経由地ボタン３３など）を表示する。
【００２５】
ステップＳ４０３では、タッチパネルコントロール部１１３によって算出されたタッチパネル１１２の押圧位置に基づいて、辞書範囲限定ボタン３２および３３のいずれかが押圧されているか判定する。押圧されている場合はステップＳ４０３が肯定判定され、ステップＳ４０４へ進む。押圧されていない場合はステップＳ４０３が否定判定され、ステップＳ４０１へ戻る。
【００２６】
ステップＳ４０４では、音声認識をするときに照合する辞書の範囲を、押圧された辞書範囲限定ボタン３２または３３に定義された小辞書の範囲に限定する。たとえば、目的地ボタン３２の場合は、図２に示すように目的地ボタン３２に定義された小辞書の範囲２１に限定する。ステップＳ４０５では、ステップＳ４０３で押下げ判定された辞書範囲限定ボタン３２または３３が押圧されているか判定する。押圧されている場合はステップＳ４０５が肯定判定され、ステップＳ４０４へ戻る。押圧されていない場合はステップＳ４０５が否定判定され、ステップＳ４０１へリターンする。
【００２７】
以上の実施の形態によるナビゲーション装置１は次のような作用効果を奏する。
（１）表示モニタ１６に表示された辞書範囲限定ボタン３２または３３を押圧することによって、音声を照合する辞書１１１の範囲を、辞書範囲限定ボタン３２または３３に定義された辞書の範囲２１または２２に限定することができる。したがって、所望の操作に係る辞書範囲限定ボタン３２または３３を押圧することによって、検知されている車両の状態に関係なく、所望の操作を音声によって確実に実行することができる。
【００２８】
（２）ＰＴＴスイッチ１９ａなどの発話スイッチが押下されたときに辞書範囲限定ボタン３２および３３を表示する。したがって、音声によってナビゲーション装置１を操作しない場合は、辞書範囲限定ボタン３２および３３を表示せず、地図表示の邪魔にならない。
【００２９】
（３）オーディオ情報表示画面３４を押圧すると、音声認識部１１０で音声認識するときに照合する辞書の範囲が、オーディオ操作に関する言葉の範囲に限定される。したがって、誤ってオーディオに関係のない動作が実行されるのを防止することができ、オーディオに関する操作を音声によって確実に実行することができる。
【００３０】
以上の実施の形態のナビゲーション装置１を次のように変形することができる。
（１）ＰＴＴスイッチ１９ａなどの発話スイッチを押下したときに辞書範囲限定ボタン３２および３３を表示したが、常に辞書範囲限定ボタン３２および３３を表示画面に表示するようにしてもよい。この場合、発話スイッチを押さなくても辞書範囲限定ボタンを押圧すると、マイク１９に対して音声入力が可能となる。ひとつの操作で、音声入力を可能とし、辞書の範囲を限定することができるので、利便性が向上する。
【００３１】
（２）辞書範囲限定ボタンは、目的地ボタン３２や経由地ボタン３３に限定されず、適宜設けることができる。たとえば、音声認識によって地図３０の縮尺率を変更するボタンや、地図３０をスクロールするボタン、地図３０の向きを、北側や車両の進行方向を上にする向きに変更するボタンなどを辞書範囲限定ボタンとして設けてもよい。このようにすることによって、地図３０の縮尺率を変更したり、地図３０をスクロールしたりする操作などについても音声認識に使用する辞書を限定することによって確実に実行することができる。
【００３２】
（３）発話スイッチが押圧されるたびごとに、表示画面に表示される辞書範囲限定ボタンが別の辞書範囲限定ボタンに切り替わるようにしてもよい。一度に表示する辞書範囲限定ボタンの数を少なくすることができ、表示モニタ１６に表示された地図３０が見やすくなる。たとえば、図５に示すように、表示モニタ１６に表示する辞書範囲限定ボタン５１をひとつにすることができる。また、辞書範囲限定ボタン５１がひとつしか表示されていない場合は、表示されている辞書範囲限定ボタン５１に基づいて音声認識に使用される辞書の範囲が限定されるようにしてもよい。
【００３３】
（４）次のようにして、音声認識により目的地や経由地を登録し、音声認識により目的地や経由地を表示モニタ１６に表示できるようにしてもよい。地図３０をスクロールして、図６に示すように目的地や経由地を表示画面に表示する。そして、表示された目的地のマーク６１を押圧して指定すると、マイク１９の音声入力を可能とし、音声認識に使用する辞書を目的地に関する言葉の範囲に限定する。同様に表示された経由地を押圧すると、マイク１９の音声入力を可能とし、音声認識に使用する辞書を経由地に関する言葉の範囲に限定する。そして、目的地のマーク６１を指定しながら、「目的地表示」とマイク１９に対して発すると、「目的地表示」という言葉と関連付けられて、押圧位置に対応した地図上の押圧地点がＲＡＭ１３に記憶される。同様にして、経由地を押圧しながら、「経由地表示」とマイク１９に対して発すると、「経由地表示」という言葉と関連付けられて、押圧位置に対応した地図上の押圧地点がＲＡＭ１３に記憶される。
【００３４】
その後、経路誘導中などに目的地や経由地の地図を表示モニタ１６に表示する場合、目的地ボタン３２や経由地ボタン３３を押圧して指定しながら、「目的地表示」や「経由地表示」という言葉をマイク１９に対して発する。その結果、「目的地表示」や「経由地表示」という言葉に関連付けられた押圧地点が表示画面の中央に表示されるように地図３０が表示され、目的地や経由地が表示モニタ１６に表示される。
【００３５】
通常、経路誘導中などに目的地や経由地の地図を表示モニタ１６に表示するためには、地図３０をスクロールする操作を行わなければならないが、そのような操作なしに音声認識で目的地や経由地の地図を表示することができ、利便性が向上する。
【００３６】
また、音声認識によって表示する代わりに、目的地６１を押圧しながら、「目的地表示」とマイク１９に対して発したり、「経由地表示」とマイク１９に対して発したりすると、押圧位置に対応した地図上の押圧地点に関連付けられたアイコンが表示モニタ１６に表示され、そのアイコンを押圧すると目的地や経由地の地図が表示モニタ１６に表示されるようにしてもよい。
【００３７】
（５）辞書範囲限定ボタンは、目的地ボタン３２や経由地ボタン３３などのボタンに限定されず、アイコンなどでもよい。
【００３８】
（６）マイク１９に対して音声入力が可能となる発話操作スイッチであれば、ＰＴＴスイッチに限定されない。また、マイクに設けられる場合に限定されず、図７に示すように、発話スイッチ７１を車両のステアリング７２に設けてもよい。
【００３９】
（７）オーディオ情報表示画面３４に表示されるオーディオ情報はＣＤプレーヤ２の再生に関するものに限定されない。たとえば、ラジオ放送の情報でもよい。あるいは、空調など車載の各種機器装置を制御する場合にも本発明は適用することができる。
【００４０】
（８）車載表示装置であればナビゲーション装置に限定されない。
【００４１】
（９）表示モニタに表示されたアイコンまたはボタンを各種入力デバイスで指定すると、指定されたボタンまたはアイコンに基づいて、音声認識のときに音声を照合する辞書の範囲を限定するようにしてもよい。すなわち、本発明は以上説明した実施の形態になんら限定されない。
【００４２】
特許請求の範囲の要素と実施の形態との対応関係を説明する。
本発明の音声入力手段はマイク１９に対応し、音声認識手段は音声認識部１１０に対応する。表示制御手段、辞書範囲制御手段および探索手段は制御回路１１に対応し、入力手段は制御回路１１、タッチパネル１１２およびタッチパネルコントロール部１１３に対応する。マーク表示手段は制御回路１１および表示モニタ１６に対応し、関連音声記憶手段は制御回路１１およびＲＡＭ１３に対応する。目的地表示手段および経由地表示手段は制御回路１１に対応する。なお、以上の説明はあくまで一例であり、発明を解釈する上で、上記の実施形態の構成要素と本発明の構成要素との対応関係になんら限定されるものではない。
【図面の簡単な説明】
【００４３】
【図１】本発明の実施形態のナビゲーション装置の構成を示すブロック図である。
【図２】音声認識のときに照合する辞書を説明するための図である。
【図３】ＰＴＴスイッチを押下すると表示される表示画面を説明するための図である。
【図４】音声認識に使用される辞書の辞書範囲限定処理を説明するためのフローチャートである。
【図５】発話スイッチが押圧されるたびごとに表示画面に表示される辞書範囲限定ボタンが別の辞書範囲限定ボタンに切り替わる辞書範囲限定ボタンを説明するための図である。
【図６】音声認識によって目的地を表示画面に表示するための操作を説明するための図である。
【図７】車両のステアリングに設けられた発話スイッチを説明するための図である。
【符号の説明】
【００４４】
１  ナビゲーション装置
２  ＣＤプレーヤ
１１  制御回路
１３  ＲＡＭ
１６  表示モニタ
１７  スピーカ
１８  入力装置
１９  マイク
１９ａ  ＰＴＴスイッチ
３２，３３，５１  辞書範囲限定ボタン
７１  発話スイッチ
７２  ステアリング
１１０  音声認識部
１１１  辞書
１１２  タッチパネル
【図１】
2008037121.tif 000003
【図２】
2008037121.tif 000004
【図３】
2008037121.tif 000005
【図４】
2008037121.tif 000006
【図５】
2008037121.tif 000007
【図６】
2008037121.tif 000008
【図７】
2008037121.tif 000009